(57)【要約】【課題】遊技者が好みに応じて内部音響機器および外部音響機器を選択的に使用することができ、しかも、セキュリティ性の低下を招くことがない遊技機を提供すること。【解決手段】遊技者が前方からスイッチ装置９２を操作することに基いて内部スピーカ６およびヘッドホン４９を選択的に有効化し、内部スピーカ６およびヘッドホン４９から遊技音を選択的に出力することができる。このため、前面扉を開放操作して配線を変更することで内部スピーカ６およびヘッドホン４９を選択的に有効化する必要がなくなるので、セキュリティ性の低下が防止される。【選択図】  図１
2004275404.tif 000002
【特許請求の範囲】
【請求項１】
遊技機本体に設けられた内部音響機器と、
前記遊技機本体に設けられ、外部音響機器が電気的に接続される外部端子と、
前記遊技機本体に設けられ、前記内部音響機器および前記外部音響機器の駆動信号を生成する音制御装置と、
前記音制御装置が生成する駆動信号の出力経路を前記内部音響機器および前記外部端子間で切換える操作スイッチとを備え、
前記操作スイッチは、前記遊技機本体に前方から操作可能に設けられていることを特徴とする遊技機。
【請求項２】
操作スイッチは、駆動信号の出力経路を選択する第１の方向および駆動信号の出力経路を選択結果で確定する第２の方向へ操作可能な操作子を有していることを特徴とする請求項１記載の遊技機。
【発明の詳細な説明】
【０００１】
【発明の属する技術分野】
本発明は、スピーカ等の内部音響機器から遊技音を出力する構成の遊技機に関する。
【０００２】
【発明が解決しようとする課題】
上記遊技機においては、ヘッドホン等の外部音響機器から遊技音を出力することに基いて遊技者に音的演出を明確に認識させることが考えられている。この場合、不特定多数の遊技者がヘッドホンを共通使用することになるので、ヘッドホンの使用を嫌う遊技者が遊技を行うときには前面扉を開放操作し、配線を外部音響機器から内部音響機器に変更する必要がある。しかしながら、前面扉の開放時には大当りおよび外れの判定処理を行う主制御装置等が露出するので、前面扉の開放状態で配線を行うことはセキュリティの点で好ましくない。
本発明は上記事情に鑑みてなされたものであり、その目的は、遊技者が好みに応じて内部音響機器および外部音響機器を選択的に使用することができ、しかも、セキュリティ性の低下を招くことがない遊技機を提供することにある。
【０００３】
【課題を解決するための手段】
＜請求項１に係る発明について＞
請求項１に係る発明は、音制御装置が生成する駆動信号の出力経路を内部音響機器および外部音響機器間で切換える操作スイッチを設けたところに特徴を有するものであり、用語の意義は次の通りである。
▲１▼内部音響機器：遊技機側に機械的に固定されたスピーカ等の電気的な音響機器を称するものである。
▲２▼外部端子：遊技機側に機械的に固定された駆動信号の出力点を称するものであり、ヘッドホンやスピーカ等の外部音響機器が電気的に接続される接続箇所を称する。
▲３▼音制御装置：内部音響機器および外部音響機器の駆動信号を生成するものであり、内部音響機器および外部音響機器は音制御装置が生成する駆動信号に応じた遊技音を出力することに基いて遊技を音で演出する。
▲４▼操作スイッチ：人為的な操作を検出する電子デバイスを称するものであり、接触形スイッチおよび非接触形スイッチの双方を含む。この操作スイッチは遊技機側に機械的に固定されることに基いて前方から操作可能に設けられたものであり、音制御装置からの駆動信号を内部音響機器および外部端子のいずれかに出力するものである。
請求項１に係る発明によれば、遊技者が前方から操作スイッチを操作することに基いて内部音響機器および外部音響機器を好みに応じて選択的に有効化できる。このため、前面扉を開放操作して配線を変更することで内部音響機器および外部音響機器を選択的に有効化する必要がなくなるので、セキュリティ性の低下が防止される。
【０００４】
＜請求項２に係る発明について＞
請求項２に係る発明は、駆動信号の出力経路を選択する第１の方向および駆動信号の出力経路を選択結果で確定する第２の方向へ操作可能な操作子を設けたところに特徴を有する。
請求項２に係る発明によれば、音響機器を選択するには操作子を第１の方向へ操作することに基いて内部音響機器および外部音響機器を選択し、操作子を第２の方向へ操作することに基いて選択結果を確定させる。このため、音響機器を選択する明確な操作意思および音響機器を選択結果で確定させる明確な操作意思が必要になるので、遊技者の意に反して遊技音の出力機器が簡単に変わることがなくなる。
【０００５】
【発明の実施の形態】
以下、本発明の一実施例を図面に基づいて説明する。パチンコホールの台島には、図５に示すように、外枠１が設置されている。この外枠１は前後面が開口する四角筒状をなすものであり、外枠１の前面には、図３に示すように、前面扉２が左側辺部の垂直な軸（図示せず）を中心に回動可能に装着されている。この前面扉２は外枠１の前面開口部を開閉する枠状をなすものであり、前面扉２の前面には横長な長方形状の皿板３が装着されている。この皿板３の前面には上皿４が固定されており、上皿４内にはパチンコ球が貯溜されている。
【０００６】
上皿４の左端部には複数のスリット５が形成されており、複数のスリット５の後方には内部音響機器に相当する内部スピーカ６が配置されている。この内部スピーカ６は前面扉２の後面に固定されたものであり、内部スピーカ６の駆動時には内部スピーカ６から複数のスリット５を通して前方の遊技者に遊技音が出力される。また、前面扉２の前面には右下部に位置してハンドル台７が固定されている。このハンドル台７には後端部に位置してリング状のタッチセンサ８が固定されており、遊技者がタッチセンサ８に手を触れた状態ではタッチセンサ８からタッチ信号が出力される。
【０００７】
前面扉２の後面には、図５に示すように、モータ駆動回路基板９が固定されている。このモータ駆動回路基板９にはモータ駆動装置１０（図６参照）が搭載されており、モータ駆動装置１０には、図６に示すように、タッチセンサ８が電気的に接続されている。また、モータ駆動装置１０には発射モータ１１が電気的に接続されている。この発射モータ１１はハンドル台７の後方に固定されたものであり、モータ駆動装置１０はタッチセンサ８からのタッチ信号を検出した状態で発射モータ１１に駆動電源を供給する。
【０００８】
発射モータ１１の回転軸には、図３に示すように、打球槌１２が連結されており、打球槌１２は発射モータ１１が駆動することに基づいて打球動作を繰返し、上皿４内のパチンコ球を上皿４内から弾き出す。また、ハンドル台７にはタッチセンサ８の前方に位置してリング状の発射ハンドル１３が回動可能に装着されており、発射ハンドル１３は打力調整機構（図示せず）を介して打球槌１２に機械的に連結されている。この打力調整機構は打球槌１２がパチンコ球を叩く打力を発射ハンドル１３の回動位置に応じて調整するものであり、打球槌１２の打力は発射ハンドル１３の時計回り方向への操作量が増えるに従って高まる。
【０００９】
前面扉２の前面には矩形状の窓枠１４が左側辺部の垂直な軸（図示せず）を中心に回動可能に装着されており、窓枠１４の内周面には透明なガラス窓１５が保持されている。また、前面扉２の後面には額縁状の機構盤（図示せず）が固定されている。この機構盤には、図４に示すように、遊技盤１６が保持されており、遊技盤１６は窓枠１４のガラス窓１５により前方から覆われている。
【００１０】
前面扉２の前面には、図３に示すように、右側部に位置して枠鍵１７が装着されており、枠鍵１７は前面扉２を外枠１に密着した閉鎖状態にロックし、窓枠１４を前面扉２の開口部の内周面に嵌合した閉鎖状態にロックしている。また、遊技盤１６の前面には、図４に示すように、外レール１８および内レール１９が固定されており、打球槌１２が弾いたパチンコ球は外レール１８および内レール１９間の発射通路２０を通って上昇し、発射通路２０の出口２１から放出される。また、遊技盤１６の前面には複数の障害釘２２が打込まれており、出口２１から放出されたパチンコ球は障害釘２２に当りながら落下する。
【００１１】
遊技盤１６の前面には左上隅部および右上隅部に位置して三角形状のコーナランプカバー２３が固定されている。これら各コーナランプカバー２３の後方には複数のコーナランプ２４（図６参照）が固定されており、各コーナランプカバー２３は後方のコーナランプ２４が点灯することに基づいて発光する。
【００１２】
遊技盤１６の前面には、図４に示すように、左側部および右側部に位置してサイドランプカバー２５が固定されている。これら各サイドランプカバー２５の後方には複数のサイドランプ２６（図６参照）が固定されており、各サイドランプカバー２５は後方のサイドランプ２６が点灯することに基づいて発光する。
【００１３】
遊技盤１６の前面には、図４に示すように、表示台板２７が固定されている。この表示台板２７にはカラー液晶表示器からなる図柄表示装置２８が固定されており、図柄表示装置２８には特別図柄が横３列に表示される。この特別図柄は大当りおよび外れを識別する識別図柄に相当するものであり、数字図柄から構成されている。尚、図柄表示装置２８は表示器に相当するものである。
【００１４】
遊技盤１６には図柄表示装置２８の下方に位置して特別図柄始動口２９が固定されている。この特別図柄始動口２９は上面が開口するポケット状をなすものであり、特別図柄始動口２９内には特別図柄始動センサ３０（図６参照）が固定されている。この特別図柄始動センサ３０は近接スイッチからなるものであり、特別図柄始動口２９内にパチンコ球が入賞したことを検出して特別図柄始動信号を出力する。尚、特別図柄始動口２９は始動口に相当するものである。
【００１５】
遊技盤１６の前面には、図４に示すように、特別図柄始動口２９の下方に位置して入賞口台板３１が固定されており、入賞口台板３１には前面が開口する四角筒状の大入賞口（図示せず）が固定されている。また、入賞口台板３１には扉３２が下端部の水平な軸３３を中心に回動可能に装着されており、大入賞口の前面開口部は扉３２が垂直な閉鎖状態に回動することに基づいて閉鎖され、扉３２が前方へ水平に倒れた開放状態に回動することに基づいて開放される。尚、大入賞口は可変入賞口に相当するものである。
【００１６】
入賞口台板３１の後面には大入賞口ソレノイド３４（図６参照）が固定されている。この大入賞口ソレノイド３４のプランジャには扉３２が機械的に連結されており、扉３２は大入賞口ソレノイド３４のプランジャが進退することに基づいて開放状態および閉鎖状態に回動操作される。また、大入賞口内にはカウントセンサ３５（図６参照）が固定されている。このカウントセンサ３５は近接スイッチからなるものであり、大入賞口内にパチンコ球が入賞したことを検出してカウント信号を出力する。
【００１７】
遊技盤１６の後面には、図５に示すように、正方形状のセンタカバー３６が配設されている。このセンタカバー３６は前面が開口する容器状をなすものであり、センタカバー３６の外周部には矩形枠状のメインセット３７が配設されている。このメインセット３７は前面扉２の後面に着脱可能に固定されたものであり、センタカバー３６はメインセット３７に着脱可能に固定されている。
【００１８】
遊技盤１６の後面には集合樋（図示せず）が固定されており、集合樋はセンタカバー３６により後方から覆われている。この集合樋は特別図柄始動口２９および大入賞口に接続されており、特別図柄始動口２９内に入賞したパチンコ球および大入賞口内に入賞したパチンコ球は共通の集合樋内に転がり込み、集合樋からメインセット３７の入賞球通路（図示せず）を通して機外へ排出される。
【００１９】
メインセット３７の後面には、図５に示すように、上端部に位置して球タンク３８が固定されている。この球タンク３８は上面が開口する容器状をなすものであり、球タンク３８内にはパチンコ球が貯溜されている。また、メインセット３７の後面にはタンクレール３９が固定されている。このタンクレール３９は傾斜樋状をなすものであり、タンクレール３９の右端部は球タンク３８内に接続されている。
【００２０】
メインセット３７の左側部には賞球払出装置４０が着脱可能に装着されている。この賞球払出装置４０は払出モータ４１（図８参照）を駆動源とするものであり、パチンコ球が特別図柄始動口２９内および大入賞口内に入賞することに基づいてパチンコ球を賞品球として払出す。
【００２１】
メインセット３７には下皿通路（図示せず）が設けられている。この下皿通路の上端部は賞球払出装置４０に接続されており、賞球払出装置４０から放出されるパチンコ球は下皿通路内を落下する。また、下皿通路の途中部分には上皿通路（図示せず）が設けられている。この上皿通路は上皿４に接続されており、賞球払出装置４０から放出されるパチンコ球は下皿通路内から上皿通路内に転がり込み、上皿通路内を通して上皿４内に払出される。
【００２２】
前面扉２の前面には、図３に示すように、上皿４の下方に位置して下皿４２が固定されている。この下皿４２は下皿通路の下端部に接続されたものであり、パチンコ球が上皿４内から溢れて上皿通路内に充満した状態では下皿通路の下端部を通して下皿４２内に払出される。尚、符合４３は遊技機本体を示すものであり、遊技機本体４３は外枠１，前面扉２，上皿４，ハンドル台７，窓枠１４，ガラス窓１５，枠鍵１７，センタカバー３６，メインセット３７，球タンク３８，タンクレール３９，下皿４２を有している。
【００２３】
台島の幕板４４には、図１に示すように、遊技機本体４３の上方に位置して呼出ランプユニット４５が固定されている。この呼出ランプユニット４５には呼出スイッチ４６が装着されており、遊技者が呼出スイッチ４６をオン操作したときには呼出ランプユニット４５が発光することに基いて呼出スイッチ４６のオン操作がパチンコホールの従業員に報知される。
【００２４】
前面扉２の後面には、図５に示すように、左上隅部にして外部端子台４７が固定されている。この外部端子台４７の後面には外部端子４８が搭載されており、外部端子４８はハーネス（図示せず）を介してジャック（図示せず）に電気的に接続されている。このジャックは台島の幕板４４に固定されたものであり、ジャックには、図１に示すように、ヘッドホン４９のプラグが着脱不能に嵌合されている。尚、ヘッドホン４９は外部音響機器に相当するものである。
【００２５】
メインセット３７の後面には、図５に示すように、下端部に位置して横長な長方形状のメイン基板ボックス５０が固定されている。このメイン基板ボックス５０内には、図６に示すように、メイン基板５１が収納されており、メイン基板５１にはマイクロコンピュータを主体に構成されたメイン制御装置５２が搭載されている。このメイン制御装置５２はＣＰＵ５３，ＲＯＭ５４，ＲＡＭ５５，Ｉ／Ｏ５６を有するものであり、ＲＯＭ５４には制御プログラムおよび制御データが記録されている。
【００２６】
特別図柄始動センサ３０およびカウントセンサ３５はセンサ出力回路５７を介してメイン制御装置５２に電気的に接続されている。このセンサ出力回路５７はメイン基板５１に搭載されたものであり、メイン制御装置５２のＣＰＵ５３は特別図柄始動センサ３０からの特別図柄始動信号およびカウントセンサ３５からのカウント信号をセンサ出力回路５７を介して検出する。
【００２７】
大入賞口ソレノイド３４はソレノイド駆動回路５８を介してメイン制御装置５２に電気的に接続されている。このソレノイド駆動回路５８はメイン基板５１に搭載されたものであり、メイン制御装置５２のＣＰＵ５３は大入賞口ソレノイド３４をソレノイド駆動回路５８を介して通断電制御し、大入賞口の扉３２を回動操作する。
【００２８】
メインセット３７の後面には、図５に示すように、メイン基板ボックス５０の前方に位置して払出基板ボックス５９が固定されている。この払出基板ボックス５９内には、図８に示すように、払出基板６０が収納されており、払出基板６０にはワンチップ型のマイクロコンピュータを主体に構成されたモータ制御装置６１が搭載されている。このモータ制御装置６１はＣＰＵ６２，ＲＯＭ６３，ＲＡＭ６４，Ｉ／Ｏ６５を有するものであり、ＲＯＭ６３には払出制御プログラムおよび払出制御データが記録されている。このモータ制御装置６１にはメイン制御装置５２が電気的に接続されており、モータ制御装置６１にはメイン制御装置５２から賞球コマンドおよび賞球データが単方向で送信される。
【００２９】
モータ制御装置６１にはモータ駆動回路６６を介して払出モータ４１が電気的に接続されている。このモータ駆動回路６６は払出基板６０に搭載されたものであり、モータ制御装置６１のＣＰＵ６２はモータ駆動回路６６を通して払出モータ４１の回転量を制御する。この回転量はＣＰＵ６２がメイン制御装置５２からの賞球データに基づいて調節するものであり、ＣＰＵ６２は払出モータ４１の回転量を制御することに基づいて賞球払出装置４０から上皿４内に賞球データに応じた個数のパチンコ球を賞品球として払出す。尚、符合６７はモータ制御装置６１およびモータ駆動回路６６を有する払出制御装置を示している。
【００３０】
センタカバー３６の後面には統合基板ケース（図示せず）が固定されている。この統合基板ケース内には、図７に示すように、統合基板６８が収納されており、統合基板６８にはＬＣＤ制御装置６９が搭載されている。このＬＣＤ制御装置６９はＣＰＵ７０，ＲＯＭ７１，ＲＡＭ７２，ＶＤＰ７３，ＶＲＯＭ７４，ＶＲＡＭ７５，Ｉ／Ｏ７６を有するものであり、ＲＯＭ７１には制御プログラムおよび制御データが記録され、ＶＲＯＭ７４には表示プログラムおよび表示データが記録されている。
【００３１】
ＬＣＤ制御装置６９にはメイン制御装置５２が電気的に接続されている。このＬＣＤ制御装置６９はメイン制御装置５２から演出コマンドおよび演出データが単方向で送信されるものであり、ＬＣＤ制御装置６９のＣＰＵ７０はメイン制御装置５２からの演出コマンド等に基づいて駆動コマンドを設定し、ＶＤＰ７３に出力する。すると、ＶＤＰ７３は駆動コマンドに応じた表示データをＶＲＯＭ７４から検出し、ＬＣＤ駆動回路７７を介して図柄表示装置２８に駆動コマンドに応じた動画面を表示する。このＬＣＤ駆動回路７７は統合基板６８に搭載されたものであり、スプライト機能を有している。このスプライト機能は図形を画面中で移動させる動画機能であり、ＶＤＰ７３が複数の図形と表示位置とを指定すれば、ＬＣＤ駆動回路７７が複数の指定図形をハードウェア的に合成して図柄表示装置２８に表示する。
【００３２】
ＬＣＤ制御装置６９のＶＲＯＭ７４には表示データとして複数の背景データ、複数の図柄データ、複数のキャラクタデータが記録されており、ＶＤＰ７３は背景データ，図柄データ，キャラクタデータの種類および表示位置を駆動コマンドに応じてＬＣＤ駆動回路７７に指定し、背景データの前方に図柄データおよびキャラクタデータが重なる動画面を表示する。尚、符合７８はＬＣＤ制御装置６９およびＬＣＤ駆動回路７７を有する図柄制御装置を示している。
【００３３】
統合基板６８には、図１０に示すように、ワンチップ形のマイクロコンピュータを主体に構成されたランプ制御装置７９が搭載されている。このランプ制御装置７９はＣＰＵ８０，ＲＯＭ８１，ＲＡＭ８２，Ｉ／Ｏ８３を有するものであり、ＲＯＭ８１には電飾プログラムおよび電飾データが記録されている。このランプ制御装置７９には図柄制御装置７８が電気的に接続されており、ランプ制御装置７９には図柄制御装置７８から演出コマンドおよび演出データが送信される。
【００３４】
ランプ制御装置７９にはランプ駆動回路８４を介して複数のコーナランプ２４および複数のサイドランプ２６が電気的に接続されている。このランプ駆動回路８４は統合基板６８に搭載されたものであり、ランプ制御装置７９のＣＰＵ８０はランプ駆動回路８４を通して複数のコーナランプ２４および複数のサイドランプ２６を点灯制御する。この点灯制御はＣＰＵ８０が図柄制御装置７８からの演出コマンドおよび演出データに基づいて行うものであり、コーナランプ２４およびサイドランプ２６の駆動時にはコーナランプカバー２３およびサイドランプカバー２５が演出データに応じた態様で電飾される。尚、符合８５はランプ制御装置７９およびランプ駆動回路８４を有する電飾制御装置を示している。
【００３５】
統合基板６８には、図９に示すように、ワンチップ形のマイクロコンピュータを主体に構成されたスピーカ制御装置８６が搭載されている。このスピーカ制御装置８６はＣＰＵ８７，ＲＯＭ８８，ＲＡＭ８９，Ｉ／Ｏ９０を有するものであり、ＲＯＭ８８には音響制御プログラムおよび音響データが記録されている。このスピーカ制御装置８６には図柄制御装置７８が電気的に接続されており、スピーカ制御装置８６には図柄制御装置７８から演出コマンドおよび演出データが送信される。
【００３６】
スピーカ制御装置８６にはスピーカ駆動回路９１が電気的に接続されている。このスピーカ駆動回路９１は統合基板６８に搭載されたものであり、スピーカ制御装置８６のＣＰＵ８７は図柄制御装置７８からの演出コマンドを検出すると、ＲＯＭ８８から演出データに応じた音響データを検出し、音響データの検出結果に応じた音響信号をスピーカ駆動回路９１に出力する。
【００３７】
スピーカ駆動回路９１はスピーカ制御装置８６からの音響信号に基いて駆動信号を生成するものであり、スピーカ駆動回路９１には操作スイッチに相当するスイッチ装置９２が電気的に接続されている。このスイッチ装置９２には内部スピーカ６が電気的に接続され、外部端子台４７の外部端子４８を介してヘッドホン４９が電気的に接続されており、スイッチ装置９２は駆動信号の出力経路を内部スピーカ６および外部端子４８間で切換え、内部スピーカ６またはヘッドホン４９から音響データに応じた遊技音を出力する。尚、符合９３はスピーカ制御装置８６およびスピーカ駆動回路９１を有する音制御装置を示している。
【００３８】
スイッチ装置９２は操作ノブを押込み操作することに基づいて回動禁止モードから回動許容モードに切換わるものであり、操作ノブを回動許容モードで回動操作することに基づいて音制御装置９３からの駆動信号の出力経路を選択し、出力経路の選択状態で操作ノブを手前に引くことに基づいて出力経路を確定するように構成されている。以下、スイッチ装置９２について詳述する。
【００３９】
＜スイッチ装置９２について＞
皿板３の左右方向中央部には、図３に示すように、上皿４の下方に位置してスイッチケース９５が固定されており、スイッチケース９５の前面には、図２の（ａ）に示すように、内部出力マーク９６および外部出力マーク９７が形成されている。このスイッチケース９５には、図２の（ｂ）に示すように、円形状のガイド孔９８が形成されており、ガイド孔９８の内周面には操作子に相当する操作ノブ９９が回動可能およびスライド可能に装着されている。この操作ノブ９９の前面には、図２の（ａ）に示すように、突状の摘み１００が形成され、操作ノブ９９の外周面には、図２の（ｂ）に示すように、ガイドピン１０１が固定されている。
【００４０】
操作ノブ９９にはシャフト１０２の前端部が固定されており、シャフト１０２の後端部はスイッチケース９５に回動可能およびスライド可能に支持されている。また、スイッチケース９９には、図２の（ａ）に示すように、内部出力マーク９６の内周側および外部出力マーク９７の内周側に位置して内部出力溝１０３および外部出力溝１０４が形成されている。これら内部出力溝１０３および外部出力溝１０４は前後方向へ直線的に延びるものであり、内部出力溝１０３および外部出力溝１０４間には後端部に位置して円弧状の連結溝１０５が形成されている。
【００４１】
シャフト１０２の外周面には、図２の（ｂ）に示すように、可動コンタクト１０６が固定されており、可動コンタクト１０６とスイッチケース９５との間には圧縮コイルスプリングからなるノブスプリング１０７が介在されている。このノブスプリング１０７はシャフト１０２の外周部に挿入されたものであり、操作ノブ９９を前方へ付勢する。
【００４２】
スイッチケース９５内にはリング状のスイッチ基板１０８が固定されている。このスイッチ基板１０８の後面には複数の固定コンタクト（図示せず）が固定されており、摘み１００が内部出力マーク９６を指示した内部出力状態では、図２の（ｂ）に示すように、ガイドピン１０１が内部出力溝１０３の前端面に接触し、可動コンタクト１０６がノブスプリング１０７のばね力で内部スピーカ６用の固定コンタクト間を閉成した状態に保持される。この内部出力状態では音制御装置９３から内部スピーカ６に至る駆動信号の出力経路が閉成され、内部スピーカ６から遊技音が出力される（内部出力モード）。
【００４３】
摘み１００が外部出力マーク９７を指示した外部出力状態ではガイドピン１０１が外部出力溝１０４の前端面に接触し、可動コンタクト１０６がノブスプリング１０７のばね力で外部端子４８用の固定コンタクト間を閉成した状態に保持される。この外部出力状態では音制御装置９３から外部端子４８に至る駆動信号の出力経路が閉成され、ヘッドホン４９から遊技音が出力される（外部出力モード）。
【００４４】
次に内部出力モードから外部出力モードへの切換え手順を説明する。
摘み１００を内部出力状態から後方へ押込んで反時計回り方向へ回動操作し、前方へ引く。すると、ガイドピン１０１が内部出力溝１０３に沿って後方へスライドした後に連結溝１０５に沿って反時計回り方向へ移動し、外部出力溝１０４の後端部に到達する。次に、ガイドピン１０１が操作力で外部出力溝１０４に沿って前方へスライドし、外部出力溝１０４の前端面に接触した状態に保持される。この状態では摘み１００がノブスプリング１０７のばね力で外部出力状態に保持され、可動コンタクト１０６が外部端子４８用の固定コンタクト間を閉成する。
【００４５】
次に外部出力モードから内部出力モードへの切換え手順を説明する。
摘み１００を外部出力状態から後方へ押込んで時計回り方向へ回動操作し、前方へ引く。すると、ガイドピン１０１が外部出力溝１０４に沿って後方へスライドした後に連結溝１０５に沿って時計回り方向へ移動し、内部出力溝１０３の後端部に到着する。次に、ガイドピン１０１が主に操作力で内部出力溝１０３に沿って前方へスライドし、内部出力溝１０３の前端面に接触した状態に保持される。この状態では摘み１００がノブスプリング１０７の付勢力で内部出力状態に保持され、可動コンタクト１０６が内部スピーカ６用の固定コンタクト間を閉成する。尚、ノブスプリング１０７のばね力は操作ノブ９９をスライド操作できる程に大きくはなく、操作ノブ９９の押込み状態で操作ノブ９９から手を離しただけでは操作ノブ９９が前方へ移動しない。スイッチ装置９２は以上のように構成されている。
【００４６】
次に上記構成の作用について説明する。
遊技者が上皿４内にパチンコ球を投入し、タッチセンサ８に手を触れたままの状態で発射ハンドル１３を時計回り方向へ回動操作すると、遊技盤１６内にパチンコ球が発射され、障害釘２２に当りながら落下する。このパチンコ球が特別図柄始動口２９内に入賞すると、賞球払出装置４０から設定個数のパチンコ球が上皿４内に賞品球として払出され、しかも、特別図柄遊技が開始される。この特別図柄遊技は図柄表示装置２８に各種のアニメーション画面を表示することに基づいて行われるものであり、特別図柄遊技の概略は次の通りである。
【００４７】
メイン制御装置５２は特別図柄始動センサ２９からの特別図柄始動信号を検出すると、ランダムカウンタＲ１およびＲ２の現在の計測値を取得する。これらランダムカウンタＲ１およびＲ２はメイン制御装置５２がタイマ割込みプログラムを起動する毎に「１」ずつ加算するものであり、「０」から異なる上限値まで加算された後に「０」に戻って循環的に加算される。
【００４８】
メイン制御装置５２はランダムカウンタＲ１およびＲ２の現在の計測値を取得すると、ランダムカウンタＲ１の取得結果を大当り値と比較する。そして、両者が同一であることを検出したときには大当りと判定して大当り図柄を設定し、両者が相違していることを検出したときには外れと判定して外れ図柄を設定する。これら大当り図柄および外れ図柄は３列の特別図柄の組合せを称するものであり、前者の大当り図柄は３列が同一な組合せ図柄であり、後者の外れ図柄は３列が同一でない組合せ図柄である。
【００４９】
メイン制御装置５２は大当り図柄および外れ図柄を設定すると、ランダムカウンタＲ２の取得結果に基いて演出パラメータを設定し、図柄制御装置７８に図柄の設定結果および演出パラメータの設定結果を出力する。すると、図柄制御装置７８は演出パラメータに基いて表示パターンを設定し、変動表示を開始する。この変動表示は各列の特別図柄を「１」……「７」→「８」→「１」→…等の設定順序で変化させることを称するものであり、図柄制御装置７８は変動表示中に表示パターンの設定結果に応じたアニメーション画面を表示することに基いて変動表示を映像的に演出し、変動表示の開始から設定時間が経過したことを検出したときには３列の特別図柄を設定結果で変動停止させることに基いて遊技者に大当りおよび外れの判定結果を報知する。
【００５０】
図柄制御装置７８はメイン制御装置５２からの演出パラメータを電飾制御装置８５および音制御装置９３に送信する中継制御装置として機能するものであり、電飾制御装置８５は図柄制御装置７８からの演出パラメータを検出すると、演出パラメータに応じた電飾パターンを設定する。そして、コーナランプ２４およびサイドランプ２６を電飾パターンの設定結果に応じた演出内容で発光させ、変動表示を光で演出する。また、スピーカ制御装置９３は図柄制御装置７８からの演出パラメータを検出すると、演出パラメータに応じた音響パターンを設定する。そして、内部スピーカ６またはヘッドホン４９から音響パターンの設定結果に応じた遊技音を出力し、変動表示を音で演出する。
【００５１】
大当りが発生したときにはメイン制御装置５２が大当り遊技を開始する。この大当り遊技は大入賞口の扉３２を開放し、大入賞口内にパチンコ球が入賞すること許容する遊技者に有利な状態を発生させるものであり、大入賞口は上限個のパチンコ球が入賞する個数条件または開放時間が上限値に達する時間条件が満足されるまで開放状態に保持される。この大入賞口の個数条件および時間条件を基準とする開放動作は大当りラウンドと称されるものであり、個数条件および時間条件のいずれかが満足されたときには大当りラウンドが再開される。この大当りラウンドの繰返し回数には上限値が設定されており、大当りラウンドの繰返し回数が上限値に達したときには大当り遊技が無条件に終了する。
【００５２】
上記実施例によれば、遊技者が前方からスイッチ装置９２の操作ノブ９９を操作することに基いて内部スピーカ６およびヘッドホン４９を選択的に使用できるように構成した。このため、前面扉２を開放操作して配線を変更することで内部スピーカ６およびヘッドホン４９を選択的に有効化する必要がなくなるので、セキュリティ性の低下が防止される。
また、操作ノブ９９を回動操作することに基いて内部スピーカ６およびヘッドホン４９を選択し、操作ノブ９９を前方へスライド操作することに基いて選択結果を確定させた。このため、音響機器を選択する明確な操作意思および音響機器を選択結果で確定させる明確な操作意思が必要になるので、遊技者の意に反して遊技音の出力機器が簡単に変わることがなくなる。
【００５３】
尚、上記実施例においては、操作ノブ９９を異なる２方向へ操作することに基いて内部スピーカ６およびヘッドホン４９を選択するスイッチ装置９２を用いたが、これに限定されるものではなく、例えば操作子を一方向へ操作することに基いて内部スピーカ６およびヘッドホン４９を選択する操作スイッチを用いても良い。この場合、内部スピーカ６に対する信号出力経路およびヘッドホン４９に対する信号出力経路を選択的に有効化するモーメンタリスイッチ等を用いると良い。
また、上記実施例においては、音制御装置９３からの駆動信号の出力経路を内部スピーカ６・ヘッドホン４９の２種類に切換えたが、これに限定されるものではなく、例えば内部スピーカ６・ヘッドホン４９・内部スピーカ６およびヘッドホン４９の３種類に切換える構成としても良い。
【００５４】
また、上記実施例においては、スイッチ装置９２を皿板３に固定したが、これに限定されるものではなく、例えば上皿４に固定しても良く、要は前方から操作可能に設ければ良い。
また、上記実施例においては、ヘッドホン４９のプラグをジャックに着脱不能に嵌合したが、これに限定されるものではなく、例えば着脱可能に嵌合しても良い。
また、上記実施例においては、外部端子４８に電気的に接続される外部音響機器としてヘッドホン４９を例示したが、これに限定されるものではなく、例えば幕板４４に機械的に固定された外部スピーカを外部端子４８に電気的に接続しても良い。
【図面の簡単な説明】
【図１】本発明の一実施例を示す図（パチンコ機の台島に対する設置状態を示す前面図）
【図２】スイッチ装置を示す図（ａは前面図、ｂはＸ線に沿う断面図）
【図３】（ａ）はパチンコ機の全体構成を示す前面図、（ｂ）はハンドル台等を示すＸ視図
【図４】遊技盤を示す前面図
【図５】パチンコ機の全体構成を示す後面図
【図６】メイン制御装置の電気的構成を示す図
【図７】図柄制御装置の電気的構成を示す図
【図８】払出制御装置の電気的構成を示す図
【図９】音制御装置の電気的構成を示す図
【図１０】電飾制御装置の電気的構成を示す図
【符号の説明】
６は内部スピーカ（内部音響機器）、４３は遊技機本体、４８は外部端子、４９はヘッドホン（外部音響機器）、９２はスイッチ装置（操作スイッチ）、９３は音制御装置、９９は操作ノブ（操作子）を示している。
【図１】
2004275404.tif 000003
【図２】
2004275404.tif 000004
【図３】
2004275404.tif 000005
【図４】
2004275404.tif 000006
【図５】
2004275404.tif 000007
【図６】
2004275404.tif 000008
【図７】
2004275404.tif 000009
【図８】
2004275404.tif 000010
【図９】
2004275404.tif 000011
【図１０】
2004275404.tif 000012